(57)【要約】【課題】放送番組の盛り上がりを検出して、信頼性の高い盛り上がり通知制御を実現する。【解決手段】放送番組の盛り上がり検出及び通知機能を備えた放送受信装置において、視聴率を取得する視聴率情報取得部７００と、視聴率情報取得部７００から受け取った視聴率を、予め設定された値と比較することで盛り上がり検出を行う盛り上がり検出部８００を設ける。表示制御部９００は、盛り上がり検出部８００の検出結果と、視聴情報管理部５００から取得した視聴履歴情報と、ＳＩ情報管理部３００から取得したＳＩ情報に基づいて、盛り上がり番組の通知方法及び通知タイミングを決定することで、盛り上がり通知を制御する。【選択図】  図３
2010263527.tif 000002
【特許請求の範囲】
【請求項１】
放送番組の盛り上がりを検出して通知する機能を有する放送受信装置であって、
放送番組の盛り上がり度を示す情報を取得して、予め設定された値と比較することで盛り上がり番組を検出する検出手段と、
視聴された放送番組の情報を視聴履歴情報として記憶する記憶手段と、
前記検出手段により検出された盛り上がり番組の情報と、前記記憶手段に記憶された視聴履歴情報に基づいて、盛り上がり番組が未視聴であると判定した場合、当該盛り上がり番組の存在についての通知を行うように制御する制御手段と、を備えることを特徴とする放送受信装置。
【請求項２】
放送番組の盛り上がりを検出して通知する機能及び放送番組の録画機能を有する放送受信装置であって、
放送番組の盛り上がり度を示す情報を取得して、予め設定された値と比較することで盛り上がり番組を検出する検出手段と、
放送番組の録画開始時刻から録画終了時刻まで、当該放送番組を録画番組として記憶する記憶手段と、
前記検出手段により検出された盛り上がり番組の情報と、前記記憶手段によって記憶された録画番組の情報に基づいて、盛り上がり番組が録画中でないと判定した場合、当該盛り上がり番組の存在についての通知を行うように制御する制御手段と、を備えたことを特徴とする放送受信装置。
【請求項３】
前記記憶手段は、前記放送番組に関して放送開始時刻からシーンの切換りの時刻まで視聴されたシーンを、視聴済みのシーン情報として記憶し、
前記制御手段は、盛り上がり番組が現在視聴中でなく、かつ当該番組のシーンが未視聴のシーンであると判定した場合、当該盛り上がり番組の存在についての通知を行うように制御することを特徴とする、請求項１に記載の放送受信装置。
【請求項４】
前記制御手段は、前記盛り上がり番組について、番組内容とは無関係な要因で前記盛り上がり度が予め設定された値を越え得るシーンの存在を判定し、当該シーンを含まない盛り上がり番組の場合、当該番組の存在について通知するように制御することを特徴とする、請求項１に記載の放送受信装置。
【請求項５】
前記制御手段は、前記盛り上がり番組が現在視聴中の放送番組とは異なる放送種別で放送されており、かつ当該放送番組と同一の番組内容を有すると判定した場合、当該盛り上がり番組の存在についての通知を行わないように制御することを特徴とする、請求項１に記載の放送受信装置。
【請求項６】
前記制御手段は、前記盛り上がり番組が視聴済みとされる放送番組のイベントリレー番組であると判定した場合、当該盛り上がり番組の存在についての通知を行わないように制御することを特徴とする、請求項１に記載の放送受信装置。
【請求項７】
前記制御手段は、前記盛り上がり番組が視聴済みであると判定した場合、当該盛り上がり番組の存在についての通知を、広告放送の表示中に行うように制御することを特徴とする、請求項１に記載の放送受信装置。
【請求項８】
前記制御手段は、前記盛り上がり番組が録画中であると判定した場合、当該盛り上がり番組の存在についての通知を、広告放送の表示中に行うように制御することを特徴とする、請求項２に記載の放送受信装置。
【請求項９】
前記盛り上がり度を示す情報として、放送番組の視聴率又は音量レベルの情報を用いることを特徴とする、請求項１から８のいずれか１項に記載の放送受信装置。
【請求項１０】
放送番組の盛り上がりを検出して通知する機能を有する放送受信装置の制御方法であって、
放送番組の盛り上がり度を示す情報を取得して、予め設定された値と比較することで盛り上がり番組を検出する検出ステップと、
視聴された放送番組の情報を視聴履歴情報として記憶する記憶ステップと、
前記検出ステップで検出された盛り上がり番組の情報と、前記記憶ステップで記憶した視聴履歴情報に基づいて、盛り上がり番組が未視聴であると判定した場合、当該盛り上がり番組の存在についての通知を行うステップと、を有することを特徴とする放送受信装置の制御方法。
【発明の詳細な説明】
【技術分野】
【０００１】
本発明は、放送受信装置における放送番組の盛り上がり検出及び通知処理に関する。
【背景技術】
【０００２】
近年、デジタルテレビジョン放送では、地上デジタル放送、ＢＳデジタル放送、１１０度ＣＳデジタル放送が運営されており、多チャンネル化が進んでいる。数多く存在する番組群のうち、所望の番組をユーザ操作で選択して視聴するというスタイルがこれまで採られてきた。これら数多くの番組群の中から所望の番組をユーザが選択することや、ユーザが視聴を希望する番組全てを視聴することは困難になっている。
【０００３】
一方、現在のテレビジョン放送において、放送番組やＣＭ（広告）に関する視聴率調査が実施されている。視聴率調査では取得した視聴率データ（以下、単に視聴率という）に基づいて、視聴者の放送番組に対する関心の高さを知る事ができ、テレビの媒体力を測る上で、一つの指標として利用されている。視聴率の集計及び配信を行うシステムでは、サーバがネットワークを介して、各世帯に設置した視聴率監視装置から視聴履歴情報を取得する。そしてサーバは視聴率情報を集計して管理する。
【０００４】
ネットワーク技術の進歩に伴い、リアルタイムで視聴率の取得が可能になると予想される。視聴率は放送番組の盛り上がり度を示す一指標として利用可能である。高視聴率のシーンを盛り上がっているシーン（以下、盛り上がりシーンという）として検出する事（以下、盛り上がり検出という）は、番組視聴の支援機能として有効である。すなわち、ユーザが現在視聴中の番組（以下、視聴番組という）の盛り上がりについては勿論、当該番組を視聴しながら、現在放送中の他番組（以下、裏番組という）の盛り上がりを知ることができる。
【０００５】
また、録画番組についてシーンごとの歓声から音声レベルを算出してレベルバー等で表示し、盛り上がりシーンを特定して当該シーンの選択及び再生を行う事で、番組内の盛り上がりシーンを視聴する技術は公知である。音声レベルを用いた盛り上がり検出の方法は、番組内の盛り上がりシーンを特定する事ができ、ユーザの番組視聴の支援に有効である。
【０００６】
この他、視聴率を用いた盛り上がり検出の方法が知られている。例えば、特許文献１には、高い視聴率を誇る人気番組や緊急報道番組等を自動的に視聴可能とし、重要情報の見逃しを防ぐ方法が開示されている。つまり、ネットワークからリアルタイムに取得した視聴率を元に、現在放送しているチャンネルを自動的に選択して高視聴率の番組を再生することができる。
また、特許文献２に開示されたマルチ画面表示装置では、視聴率や音声レベルを用いた盛り上がり検出を行い、盛り上がりが検出された番組（以下、盛り上がり番組という）の画面サイズを所定サイズ以上に拡大して表示する。
【先行技術文献】
【特許文献】
【０００７】
【特許文献１】特開２００３−１５３１０５号公報
【特許文献２】特開２００７−３１１９４２号公報
【発明の概要】
【発明が解決しようとする課題】
【０００８】
しかしながら、従来の盛り上がり検出方法では、ユーザの視聴履歴や視聴予定、視聴番組と盛り上がり番組との関連を考慮していないため、ユーザにとって不必要な制御が行われてしまう可能性があった。
例えば視聴率を用いた盛り上がり検出方法において、裏番組の視聴率が設定値を超えた場合、当該番組は現在盛り上がっていると判断される。その結果、特許文献１等に示す装置では、視聴番組から盛り上がり番組へのチャンネル切り換えが自動的に行われことになるが、切り換えられた番組がユーザにとって視聴済みの番組である場合、逆に視聴の妨げとなってしまう。すなわち、このようなチャンネル切り換えはユーザにとって不必要な制御であるにも関わらず、自動的に行われてしまう。
【０００９】
また音声レベルを用いた盛り上がり検出の方法において、裏番組の音声レベルが設定値を超えた場合、当該番組は現在盛り上がっていると判断される。その結果、特許文献２等に示す装置では画面サイズを所定のサイズに大きくして表示する。しかし、この裏番組が録画中の番組である場合、当該録画番組は後で再生して視聴する予定の番組であるため、画面サイズの拡大はユーザにとって不必要な制御である。つまり、盛り上がり番組を表示する画面サイズが所定サイズ以上に表示されてしまうと、ユーザにとって視聴の妨げとなる。
【００１０】
この他、盛り上がり検出の結果に従って自動的にチャンネル切り換えが行われてしまう状況として、以下の例が挙げられる。
・盛り上がり番組が、視聴番組とは異なる放送種別で放送されており、かつ該視聴番組と同一の番組である場合や、イベントリレー番組である場合。なおイベントリレーとは、番組の開始時間が繰り下がった場合や、番組放送中に割り込みがあった場合、番組が放送時間内に終わらなかった場合等に、引き続き他のチャンネルで放送が継続される放送局のサービスである。該サービスにより提供される番組がイベントリレー番組である。
・盛り上がり番組が本来の番組内容とは無関係な要因で高視聴率となった場合。例えば、ＣＭ放送中の番組やサッカー番組のハーフタイム等が存在したために、該番組視聴者のザッピング操作により一時的に高視聴率となった場合等。
【００１１】
以上のように従来の装置では、盛り上がり検出に基づく制御、例えば、アイコンやＧＵＩ画面表示による通知、マルチ画面表示、チャンネル切り換え等（以下、盛り上がり通知という）を的確に行うことが困難である。つまり、ユーザ視聴履歴や視聴予定、シーン情報、視聴番組と盛り上がり番組との関連、盛り上がり番組以外の裏番組の放送状態を考慮して、盛り上がり通知を行い、通知タイミングを決定することが求められる。
そこで、本発明は、信頼性の高い盛り上がり通知制御の実現を目的とする。
【課題を解決するための手段】
【００１２】
上述した課題を解決するために本発明は、放送番組の盛り上がりを検出して通知する機能を有する放送受信装置であって、放送番組の盛り上がり度を示す情報を取得して、予め設定された値と比較することで盛り上がり番組を検出する検出手段と、視聴された放送番組の情報を視聴履歴情報として記憶する記憶手段と、前記検出手段により検出された盛り上がり番組の情報と、前記記憶手段に記憶された視聴履歴情報に基づいて、盛り上がり番組が未視聴であると判定した場合、当該盛り上がり番組の存在についての通知を行うように制御する制御手段と、を備える。
【発明の効果】
【００１３】
本発明によれば、裏番組の盛り上がりについて、信頼性の高い盛り上がり通知が可能となり、ユーザの利便性が向上する。
【図面の簡単な説明】
【００１４】
【図１】視聴率の集計／配信システムを示す全体構成図である。
【図２】図２乃至７と併せて本発明の第１実施形態を説明するために、放送受信装置の内部構成例を示すブロック図である。
【図３】ＣＰＵ（演算処理装置）により実行されるソフトウェアの機能ブロック図である。
【図４】視聴情報管理部による処理例を示すフローチャートである。
【図５】盛り上がり検出部による処理例を示すフローチャートである。
【図６】表示制御部による処理例を示すフローチャートである。
【図７】未視聴番組の盛り上がり通知画面の一例を（ａ）に示し、視聴済み番組の盛り上がり通知画面の一例を（ｂ）に示す図である。
【図８】図９及び図１０と併せて本発明の第２実施形態を説明するために、放送受信装置の内部構成例を示すブロック図である。
【図９】ＣＰＵ（演算処理装置）により実行されるソフトウェアの機能ブロック図である。
【図１０】盛り上がり検出部による処理例を示すフローチャートである。
【図１１】図１２及び図１３と併せて本発明の第３実施形態を説明するために、演算処理装置により実行されるソフトウェアの機能ブロック図である。
【図１２】録画情報管理部による処理例を示すフローチャートである。
【図１３】表示制御部による処理例を示すフローチャートである。
【図１４】図１５と併せて本発明の第４実施形態を説明するために、視聴情報管理部による処理例を示すフローチャートである。
【図１５】表示制御部による処理例を示すフローチャートである。
【図１６】第５実施形態を説明するために、表示制御部による処理例を示すフローチャートである。
【図１７】第６実施形態を説明するために、表示制御部による処理例を示すフローチャートである。
【発明を実施するための形態】
【００１５】
本発明の各実施形態に係る放送受信装置を説明する前に、視聴率の集計／配信システムについて説明する。
図１は、視聴率の集計／配信システムを示す全体構成図である。符号１乃至３は各世帯を表し、視聴率データ集計サーバ５は、ネットワーク４を介して、世帯１、２に設置した視聴率監視装置から世帯ごとの視聴履歴情報又は個人の視聴履歴情報を取得する。そして視聴率データ集計サーバ５は番組単位又はシーン単位での視聴率情報を集計して管理する。ここで、世帯３にて視聴率監視装置が設置されていない場合でも、ネットワーク４を利用することで、放送受信装置は視聴率データ集計サーバ５から視聴率を取得可能である。
【００１６】
次に本発明の第１実施形態として、視聴率を用いた盛り上がり検出及び通知制御について説明する。図２は盛り上がり検出及び通知手段を備える放送受信装置６の構成例を示すブロック図である。
チューナ１１はアンテナ７から放送波を受信して放送信号を取り出す。メインデコーダ１２は、チューナ１１から映像及び音声のデータを受信し、映像出力回路１３へ映像信号を出力するとともに、音声出力回路１４へ音声信号を出力する。また、メインデコーダ１２は、受信した映像データ及び音声データの解析、データ分離、符号化されたデータのデコード処理を行う。チューナ１１は、メインデコーダ１２より特定の周波数への選局が指示されると、その周波数への選局を行い、周波数に含まれる放送信号を抽出してメインデコーダ１２へ転送する。チューナ１１としては、例えば一般的なデジタルテレビジョン装置の場合、地上デジタル用放送チューナ及びＢＳ／広帯域ＣＳデジタル放送用チューナが挙げられる。
【００１７】
映像出力回路１３は、メインデコーダ１２から映像信号を受信してモニタ８へ出力する。また音声出力回路１４は、メインデコーダ１２から音声信号を受信してスピーカ９へ出力する。
視聴率情報受信部１５は図１のネットワーク４を介して、視聴率データ集計サーバ５から視聴率を取得する。視聴率の情報は、後述の内部バス２０を介して各構成回路で利用可能である。
【００１８】
赤外線受光部１６は、リモートコントローラ（以下、リモコンという）１０から送信される赤外線信号を受信し、メインデコーダ１２へ受信信号を送信する。なお、本実施形態では赤外線方式のリモコン操作を採用しているが、本発明の適用上はこれに限らず、各種伝送方法での操作指示形態を採用可能である。
【００１９】
記憶部１７は、メインデコーダ１２又はその他の構成回路によって作成されたデータを一時保存する記憶手段である。記憶部１７の具体例としては、放送受信装置６に電源が供給されている間のみデータ保持が可能なＳＲＡＭ（Static Random Access Memory）やＤＲＡＭ（Dynamic Random Access Memory）が挙げられる。また、装置への電源供給が停止された状態でも記録したデータを保持し続けることが可能なフラッシュメモリやＥＥＰＲＯＭ（Electronically Erasable Programmable Read Only Memory）が挙げられる。
【００２０】
盛り上がり検出回路１８は、視聴率情報受信部１５が取得した視聴率を用いて盛り上がり検出を行い、盛り上がり番組の通知制御を行う。ＣＰＵ１９は、放送受信装置６の制御全般を司る中央演算処理装置であり、放送受信装置６内の構成ブロック間のデータ処理や、制御処理を行う。内部バス２０は、放送受信装置６内の各構成ブロック間のデータ送受信を行う。本例では、メインデコーダ１２、視聴率情報受信部１５、赤外線受光部１６、記憶部１７、盛り上がり検出回路１８、ＣＰＵ１９が内部バス２０に接続されている。
【００２１】
図３は、本発明の第１実施形態に適用されるＣＰＵ１９により実行されて動作するソフトウェアの機能ブロック図である。なお、図中に括弧内に示す符号は後述する第４乃至第６実施形態で用いるが、重複説明を回避する目的で本図に併記した。
【００２２】
放送受信部１００は、チューナ１１を制御することで、多重化された番組データを放送波より受信して映像、音声及びデータに分離する。分離された映像や音声は複合信号としてモニタ８やスピーカ（不図示）に出力され、またデータは番組属性情報に変換される。番組データについては、番組を構成する映像信号や音声信号等に対して、ＭＰＥＧ２トランスポート・ストリーム（Transport Stream：ＴＳ）方式により多重化されている。ここでＭＰＥＧ２は"Moving Picture Experts Group 2"(カラー動画像符号化方式標準化グループの第２規格)の略号である。放送受信部１００にて分離された映像及び音声は、ＭＰＥＧ２方式により圧縮符号化されているため、放送受信部１００にてそれぞれ復号化される。なお番組属性情報とは、番組の放送チャンネルや番組タイトル等を示す情報であり、電子番組表に用いられる。
【００２３】
ユーザインタフェース部２００は、ユーザからの指示を受け取り、指示に従った動作がなされるよう、選局制御部４００、表示制御部９００を制御する。つまり、リモコン１０から送信された赤外線信号を赤外線受光部１６が受信し、受信した指示内容に従って選局や表示の制御が行われる。ここでユーザからの指示は、例えば「選局」やＧＵＩ画面での「決定キー押下」等であり、通常はリモコン１０を介して行われる。
【００２４】
ＳＩ情報管理部３００は記憶部１７を制御することで、放送中の番組や放送予定の番組の番組属性情報を管理する。ここでＳＩ（Service Information）は、番組選択の利便性のためにＡＲＩＢ（Association of Radio Industries and Businesses：社団法人電波産業会）で規定された番組配列情報である。番組属性情報（以下、ＳＩ情報という）は放送受信部１００により定期的に更新される。また、このＳＩ情報は番組内イベント等が記されたＬＩＴ（Local Event Information Table）を含み、番組シーンに関するシーンメタ情報等も保持される。
【００２５】
選局制御部４００は、ユーザインタフェース部２００、表示制御部９００からの指示を受け取り、放送受信部１００に対して指定された放送番組への選局指示を行う。
視聴情報管理部５００は、選局制御部４００からの選局指示を受け取り、時間管理部６００から取得する時間情報を用いて視聴開始時刻からの経過時間を管理する。そして視聴情報管理部５００は、経過時間の情報をＳＩ情報管理部３００から受け取るＳＩ情報と対応させることで視聴番組及び視聴済み番組を決定する。また視聴情報管理部５００は記憶部１７を制御することで、視聴番組の情報及び視聴済み番組の情報（以下、ユーザ視聴履歴情報という）を管理する。なお視聴情報管理部５００の詳細については後述する。
【００２６】
時間管理部６００は、選局制御部４００の選局指示に応じた視聴情報管理部５００への時間情報の通知、視聴率情報取得部７００への定期的な時間通知等、システムの時間制御処理を行う。
視聴率情報取得部７００は、時間管理部６００からの時間通知を受け、ネットワーク４を介して定期的に視聴率を取得し、これを盛り上がり検出部８００へ通知する。
【００２７】
盛り上がり検出部８００は、視聴率情報受信部１５を制御することで視聴率情報取得部７００から視聴率を受け取る。また、盛り上がり検出部８００は、盛り上がり検出回路１８を制御することで、視聴率を、予め放送受信装置内に設定された任意の値と比較し、盛り上がり番組の検出を行う。盛り上がり番組を検出した場合、盛り上がり検出部８００は、表示制御部９００に対して盛り上がり番組の存在を通知するために、盛り上がり検出結果を送出する。ここで予め放送受信装置内に設定された任意の値とは、放送開始時刻から現在の時刻までの各裏番組の平均視聴率又は瞬間視聴率、チャンネル切り換え時刻までの各裏番組の平均視聴率又は瞬間視聴率、ユーザによる任意の設定値等である。予め設定値（基準値）を示すデータは記憶部１７に記憶される。なお盛り上がり検出部８００の詳細については後述する。
【００２８】
表示制御部９００は、盛り上がり検出部８００からの盛り上がり検出結果を受け取り、視聴情報管理部５００から取得した視聴番組情報及びユーザ視聴履歴情報に基づき、盛り上がり通知方法について判定する。また表示制御部９００は、ＳＩ情報管理部３００から受け取ったＳＩ情報を用い、通知方法に対応した盛り上がり番組の存在を示すＧＵＩ画面を作成して、これに対応した信号をモニタ８に出力する。表示制御部９００はまた、ユーザインタフェース部２００から受信したユーザ操作情報に従って選局制御部４００を制御することで、ユーザの要求に応じた選局制御を行う。表示制御部９００及びそのＧＵＩ画面例の詳細については後述する。
【００２９】
次に図４のフローチャートを用いて、視聴情報管理部５００の処理について説明する。視聴情報管理部５００はその機能において、視聴番組の視聴継続時間をカウントし、予め放送受信装置で保持している時間（以下、第１の時間という）以上に亘って視聴した番組を、視聴履歴情報における現在の視聴番組として記憶部１７に記憶させる。また視聴情報管理部５００は、予め放送受信装置で保持している時間（以下、第２の時間という）以上に亘って視聴した番組を、視聴履歴情報における視聴済み番組として記憶部１７に記憶させる。
【００３０】
先ず視聴情報管理部５００は、選局制御部４００から選局完了指示を受け取り（Ｓ５０１）、次に、時間管理部６００に対して時間カウントの開始要求を行う（Ｓ５０２）。Ｓ５０３にて視聴情報管理部５００は、放送番組の視聴開始時刻からの経過時間（以下、視聴継続時間という）を、設定された第１の時間（図４では、これをＮ分とする）と比較する（Ｓ５０３）。視聴継続時間の情報は時間管理部６００が保持しており、視聴継続時間が、第1の時間以上であると判定された場合、Ｓ５０４に進むが、そうでない場合にはＳ５０３の判定が繰り返される。
【００３１】
視聴情報管理部５００は、視聴継続時間を、設定された第２の時間（図４では、これをＭ分とする）と比較する（Ｓ５０４）。ここで、設定された第２の時間の長さを示す値は、第１の時間の長さよりも大きい値とする（Ｍ＞Ｎ）。例えば、第１の時間は１０分、第２の時間は４０分等とされる。また、第１の時間及び第２の時間ともにユーザの操作指示で設定可能としてもよい。比較の結果、視聴継続時間が第２の時間以上であると判定された場合、Ｓ５０７に進むが、そうでない場合にはＳ５０５に進む。
【００３２】
Ｓ５０５にて視聴情報管理部５００は、選局制御部４００から選局完了指示を受信したか否かを判定し、当該指示を受信していない場合、Ｓ５０６に進む。ここで視聴情報管理部５００は、現在視聴している番組を、ＳＩ情報管理部３００から受け取ったＳＩ情報と対応付けることで、視聴番組として記憶部１７に記憶させる。一方、Ｓ５０５で視聴情報管理部５００が選局完了指示を受信した場合、Ｓ５０１の処理に戻る。
【００３３】
Ｓ５０７にて視聴情報管理部５００は、現在視聴している番組を、ＳＩ情報管理部３００から受け取ったＳＩ情報と対応付けることで、当該番組を視聴済み番組として含む視聴履歴情報を記憶部１７に記憶させる。次のステップＳ５０８にて、時間管理部６００に対して時間カウントの終了要求が行われた後、処理が終了する。本フローチャートに示す処理は、装置の電源がオン状態の間中、実行される。
【００３４】
次に図５のフローチャートを用いて、盛り上がり検出部８００の処理例について説明する。盛り上がり検出部８００は、視聴率情報取得部７００から視聴率を受け取り、該視聴率が予め放送受信装置内に設定された任意の値を超えたか否かを判定する。そして盛り上がり検出部８００は、設定された値を超える視聴率の番組が存在する場合、盛り上がり検出結果を表示制御部９００へ通知する機能を有する。
【００３５】
先ず盛り上がり検出部８００は、現在放送中の番組についての視聴率を、視聴率情報取得部７００から受け取る（Ｓ８０１）。次に、盛り上がり検出部８００は、視聴率を、設定された値（所定値）と比較する（Ｓ８０２）。その結果、視聴率が所定値未満とされる番組、すなわち盛り上がり番組がないと判定された場合、処理が終了する。一方、視聴率が所定値以上であって盛り上がり番組が存在すると判定された場合、盛り上がり検出部８００は表示制御部９００へ盛り上がり番組の存在を通知する（Ｓ８０３）。
【００３６】
次に図６のフローチャートを用いて、表示制御部９００の処理例について説明する。表示制御部９００は、盛り上がり検出部８００から受け取った盛り上がり検出結果をＳＩ情報管理部３００から取得したＳＩ情報と対応付けることで、盛り上がり番組のＳＩ情報（以下、盛り上がり番組情報という）を保持する。また表示制御部９００は、該盛り上がり番組情報と、視聴情報管理部５００から取得したユーザ視聴履歴情報を比較することで盛り上がり通知方法について判定する。表示制御部９００は、この判定結果に基づくＧＵＩ画面の作成処理を行い、選局制御部４００に対し、ユーザ操作に応じた選局要求を行う機能を有する。
【００３７】
先ず表示制御部９００は、盛り上がり検出部８００から盛り上がり検出結果を取得する（Ｓ９０１）。ここでの盛り上がり検出結果は裏番組において盛り上がり番組が存在する旨を示す。次に表示制御部９００は、視聴情報管理部５００から視聴番組情報とユーザ視聴履歴情報を取得し（Ｓ９０２）、ＳＩ情報管理部３００から盛り上がり番組情報を取得する（Ｓ９０３）。
【００３８】
Ｓ９０４にて表示制御部９００は、盛り上がり番組情報と、視聴情報管理部５００から受け取った視聴番組情報とを比較する。その結果、盛り上がり番組が現在視聴中の番組であると判定された場合、処理が終了する。また盛り上がり番組が現在視聴中の番組でないと判定された場合、Ｓ９０５に進む。ここで表示制御部９００は、盛り上がり番組情報と視聴情報管理部５００から受け取ったユーザ視聴履歴情報と比較する。その結果、盛り上がり番組が過去に視聴済みの番組でないと判定された場合、Ｓ９０６に進み、未だ視聴していない番組（以下、未視聴番組という）の盛り上がり通知用ＧＵＩ画面を作成してモニタ８に表示し、ユーザに通知する。
【００３９】
図７（ａ）は未視聴番組の盛り上がり通知用ＧＵＩの画面例を示す。モニタ８の表示画面５０には、現在視聴中の番組の映像が表示される。本例では、放送局名が「Ａ」であって番組名Ａをユーザが視聴中であるものとする。未視聴番組の盛り上がり通知要求の受信後、盛り上がり通知用ＧＵＩ（画面５１）が表示される。例えば画面５１内に示すように、「ただ今、放送局名Ｂ  番組名Ｂが盛り上がっています。視聴しますか？」といった文字情報が表示され、盛り上がり番組の番組名及び盛り上がり番組への選局をユーザに促す。また、画面５１内には、盛り上がり番組への選局制御を選択可能とするボタン５２、５３が操作用オブジェクトとして設けられている。「はい」ボタン５２の操作により、盛り上がり番組への変更が指示され、「いいえ」ボタン５３の操作によって、現在の視聴番組について視聴の続行が指示される。
【００４０】
図６のＳ９０７では、盛り上がり番組の視聴について判定される。すなわち、未視聴番組の盛り上がり通知用ＧＵＩ（画面５１参照）において、ユーザ操作により「はい」ボタン５２が選択された場合、Ｓ９０８に進む。ここで表示制御部９００は、選局制御部４００に対し盛り上がり番組への選局指示を行った後、Ｓ９１３に進み、ＧＵＩ表示を破棄して画面５１を消去し、番組視聴に戻る。
【００４１】
Ｓ９０７にて盛り上がり番組を視聴しない場合、すなわち、未視聴番組の盛り上がり通知用ＧＵＩ（画面５１参照）において、ユーザ操作により「いいえ」ボタン５３が選択された場合にはＳ９１３に進み、ＧＵＩ表示を破棄して番組視聴に戻る。
【００４２】
前記ステップＳ９０５にて、盛り上がり番組が過去に視聴済みの番組であると判定された場合、表示制御部９００は記憶部１７を制御することで、盛り上がり番組情報を記憶部１７に対して一時的に記憶させる（Ｓ９０９）。次のＳ９１０にて表示制御部９００は、ＳＩ情報管理部３００から受け取った番組内イベント情報と、時間管理部６００から受け取った現在時刻とを比較する。その結果、現時刻において広告放送の表示中であると判定されるまでの間、処理は行わずに待機処理が行われる。Ｓ９１０にて広告放送中であれば、Ｓ９１１に進み、視聴済み番組の盛り上がり通知用ＧＵＩ画面が作成されてモニタ８に表示され、ユーザへの通知処理が行われる。そして、前記Ｓ９０９にて記憶部１７へ一時的に記憶した盛り上がり番組情報が破棄される（Ｓ９１２）。
【００４３】
図７（ｂ）は視聴済み番組の盛り上がり通知用ＧＵＩの画面例を示す。視聴済み番組の盛り上がり通知要求の受信時には、表示画面５０内に盛り上がり通知用ＧＵＩ（画面５４）が表示される。画面５４内に示すように、「放送局名Ｂ  番組Ｂについて盛り上がりを検出しました。」といった、盛り上がり番組の盛り上がりを明示する文字が表示される。また画面５４内には、画面表示内容への理解を明確化するために、「ＯＫ」と表記されたボタン５５が設けられている。ユーザ操作により「ＯＫ」ボタン５５が選択されると、ＧＵＩ表示が破棄され（図６のＳ９１３参照）、番組視聴に戻る。
【００４４】
なお、未視聴番組の盛り上がり通知後、盛り上がり番組を視聴しない場合（図６のＳ９０７でＮｏの場合）、すなわち、図７（ａ）の画面５１にてユーザが「いいえ」ボタン５３を選択した場合、以降の通知を行わない構成としてもよい。
また、図４に示したステップＳ５０３で肯定的な判定が下された時点から処理の終了時点までの間に、視聴番組以外の番組への選局完了指示を受信した場合には、視聴番組を視聴中断番組として記憶部１７に記憶させる。そして表示制御部９００の処理において（図６参照）、視聴中断番組については、盛り上がり検出部８００から盛り上がり検出結果を受け取ったとしても、盛り上がり通知を行わないように構成してもよい。
【００４５】
図６のフローチャートでは、盛り上がり番組が過去に視聴済み番組であるか否かを判定する処理を行った（Ｓ９０５参照）。これに限らず、視聴率情報取得部７００において視聴情報管理部５００から予め視聴番組情報を受け取り、未視聴番組についてのみ視聴率を受信するように構成してもよい。
盛り上がり番組の存在をユーザへ通知する方法は適宜に採用できる。番組内容を示すアイコン又はＧＵＩ画面表示による通知、盛り上がり検出された番組への選局、盛り上がり検出された番組のマルチ画面表示等、各種方法が挙げられる。
【００４６】
以上のように、本実施形態によれば、高視聴率となった裏番組を盛り上がり番組として検出し、該番組が視聴済み番組であるか否かの判定結果に基づいて、盛り上がり通知の優先度付けを行う。このように、盛り上がり通知方法を変更することで、従来に比べて精度の高い盛り上がり通知が可能である。
【００４７】
次に、本発明に係る第２実施形態を説明する。第１実施形態では盛り上がり度を示す情報として放送番組の視聴率を用いた盛り上がり検出及び通知方法を説明したが、第２実施形態では音量レベルを用いた盛り上がり検出及び通知方法について説明する。
図８は、第２実施形態に係る盛り上がり検出及び通知手段を備えた放送受信装置２３の構成例を示すブロック図である。なお音量レベル解析回路２１以外の構成部については第１実施形態の場合と同様であるため、それらの詳細な説明は省略する。
【００４８】
音量レベル解析回路２１は内部バス２０に接続されており、メインデコーダ１２から取得した音声信号から、番組の音量、歓声等を音量レベル値に変換して解析することで、音量のピーク値を検出する。
盛り上がり検出回路２２は、音量レベル解析回路２１で解析した音量レベルを用いて盛り上がり検出、及び盛り上がり番組の通知制御を行う。
【００４９】
図９は、第２実施形態に適用されるＣＰＵ１９により実行されて動作するソフトウェアの機能ブロック図である。なお音量レベル解析部１０００及び盛り上がり検出部１１００以外の各部については第１実施形態の場合と同様であるため、それらの説明は省略する。
音量レベル解析部１０００は、音量レベル解析回路２１を制御することで、番組内の歓声や音量を数値化し、音量のピーク値を算出する。これにより、盛り上がり検出に有効となる音量レベルの解析が行われる。
【００５０】
盛り上がり検出部１１００は、盛り上がり検出回路２２を制御することで、音量レベル解析部１０００から受け取った音量レベルと、予め放送受信装置内に設定された任意の値を比較し、盛り上がり番組の検出を行う。また、盛り上がり検出部１１００は盛り上がり番組が検出されると、表示制御部９００へ盛り上がり番組の存在を通知するために、盛り上がり検出結果を送出する。ここで予め放送受信装置内に設定された任意の値とは、放送開始時刻から現在の時刻までの各番組の平均音量レベル又は音量レベルのピーク値、チャンネル切り換え時刻までの各裏番組の平均音量レベル又は音量レベルのピーク値、ユーザによる任意の設定値等である。予め設定された値を示すデータは記憶部１７に記憶される。
【００５１】
次に図１０に示すフローチャートを用いて、盛り上がり検出部１１００の処理例を説明する。盛り上がり検出部１１００は、音量レベル解析部１０００から音量レベルを受け取り、予め放送受信装置内に設定された任意の値を超えた音量レベルの番組が存在するか否かを判断し、盛り上がり検出結果を表示制御部９００へ通知する。
【００５２】
先ず盛り上がり検出部１１００は、音量レベル解析部１０００から現在放送中の番組についての音量レベルを受け取る（Ｓ１１０１）。次に盛り上がり検出部１１００は、取得した音量レベルを、予め設定された値（所定値）と比較する（Ｓ１１０２）。その結果、音量レベルが所定値未満であると判定された場合、すなわち盛り上がり番組がない場合には処理が終了する。また音量レベルが所定値以上であると判定された場合、すなわち盛り上がり番組が存在する場合、Ｓ１１０３に進む。ここで盛り上がり検出部１１００は表示制御部９００に対し、盛り上がり番組を検出した旨を通知する。
【００５３】
このように第２実施形態によれば、音量レベル値が判定基準値以上となった裏番組を盛り上がり番組として検出し、該番組が視聴済みの番組であるか否かを判定する。この判定結果に従って盛り上がり通知の優先度付けを行って盛り上がり通知方法を変更することで、従来に比べて精度の高い盛り上がり通知が可能である。
【００５４】
次に本発明に係る第３実施形態を説明する。第１実施形態では、視聴履歴情報を用いることで、高視聴率となった番組が視聴済みの番組であるか否かを判定してり盛り上がり通知方法を変更する例について述べた。これに対して第３実施形態では録画番組情報を用いることで、高視聴率となった番組が録画中の番組であるか否かに応じて、盛り上がり通知方法を変更する例について述べる。なお、第３実施形態に係る放送受信装置の内部構成を示すブロック図については、放送番組の録画機能を除いて第１実施形態の場合と同様であるため、その説明は省略する。
【００５５】
図１１は、第３実施形態に適用されるＣＰＵ１９により実行されて動作するソフトウェアの機能ブロック図である。
放送受信・再生部１２００は、第１実施形態で示した放送受信部１００の機能に加え、録画制御部１４００からの録画指示を受信し、指定された番組が開始されると蓄積部１５００へ録画要求を行う。また放送受信・再生部１２００は、選局制御部４００からの指示を受けて、指定された録画番組を蓄積部１５００から読み出して再生し、映像信号をモニタ８に出力する機能を有する。
【００５６】
ユーザインタフェース部１３００は、第１実施形態で示したユーザインタフェース部２００の機能に加え、ユーザ操作による録画指示を受け取り、当該指示を録画制御部１４００に通知する。
録画制御部１４００は、ユーザインタフェース部１３００からの録画開始指示を受け取り、放送受信・再生部１２００へ録画開始要求を通知すると共に、録画情報管理部１６００へ録画開始指示を通知する。また録画制御部１４００は、録画開始時刻からの経過時間を計測するが、その際、時間管理部６００を用いる。現時点で録画終了時刻となった場合や、ユーザインタフェース部１３００からの録画終了指示を受け取った場合、録画制御部１４００は、放送受信・再生部１２００へ録画終了要求を通知すると共に、録画情報管理部１６００へ録画終了指示を通知する。
【００５７】
蓄積部１５００は、録画番組の放送が開始されると、対応する番組内容（コンテンツデータ）を放送受信・再生部１２００から受け取り、記憶部１７を制御してこれに記憶する。また蓄積部１５００は、放送受信・再生部１２００からの録画番組の再生要求に応じて、既に蓄積されている番組内容を放送受信・再生部１２００へ出力する。
録画情報管理部１６００は、録画制御部１４００からの録画開始指示を受け取り、これをＳＩ情報管理部３００から受け取るＳＩ情報と対応させ、記憶部１７を制御することで記憶し、録画番組情報を管理する。なお録画情報管理部１６００の詳細については後述する。
【００５８】
表示制御部１７００は、盛り上がり検出部８００からの盛り上がり検出結果を受け取り、視聴情報管理部５００から取得した視聴番組情報と、録画情報管理部１６００から取得した録画番組情報に基づいて、盛り上がり通知方法について判定する。また表示制御部１７００は、ＳＩ情報管理部３００から受け取ったＳＩ情報を用い、通知方法に対応した盛り上がり番組の存在を示すＧＵＩ画面を作成し、これに対応する信号をモニタ８に出力する。表示制御部１７００はまた、ユーザインタフェース部１３００から受信したユーザ操作情報に従って選局制御部４００を制御することで、ユーザの要求に応じた選局制御を行う。
なお、以上に説明した以外の構成部については第１実施形態の場合と同様であるため、それらの詳細な説明は省略する。
【００５９】
次に図１２のフローチャートを用いて、録画情報管理部１６００の処理例について説明する。録画情報管理部１６００は、録画制御部１４００からの録画開始／終了指示を受け取り、録画中の番組情報を管理する機能を有する。
先ず録画情報管理部１６００は、録画制御部１４００からの録画開始／終了指示を受け取る（Ｓ１６０１）。次に録画情報管理部１６００は、受け取った指示が録画開始指示であるか否かを判断する（Ｓ１６０２）。その結果、録画情報管理部１６００が録画開始指示を受け取った場合、Ｓ１６０３に進む。ここで録画情報管理部１６００はＳＩ情報管理部３００からＳＩ情報を受け取り、該情報を番組と対応付けることで録画中の番組情報を記憶部１７に記憶させる。また録画情報管理部１６００が録画終了指示を受け取った場合、該当する録画番組情報を破棄する（Ｓ１６０４）。Ｓ１６０３、Ｓ１６０４の後、処理が終了する。
【００６０】
次に図１３のフローチャートを用いて、表示制御部１７００の処理例について説明する。表示制御部１７００は盛り上がり検出部８００から盛り上がり通知結果を受け取り、ＳＩ情報管理部３００から取得したＳＩ情報と対応付けた盛り上がり番組情報と、録画情報管理部１６００から取得した録画番組情報とを比較する。そして、表示制御部１７００は比較結果に従って盛り上がり通知方法について判定し、判定結果に基づいてＧＵＩ画面を作成し、選局制御部４００に対してユーザ操作に応じた選局要求を行う機能を有する。
【００６１】
先ず表示制御部１７００は、盛り上がり検出部８００から、裏番組において盛り上がり番組が存在する旨を示す盛り上がり検出結果を取得する（Ｓ１７０１）。次に表示制御部１７００は、録画情報管理部１６００から録画番組情報（録画中の番組の番組情報）を取得する（Ｓ１７０２）。そして表示制御部１７００は、盛り上がり番組情報を取得し（Ｓ１７０３）、盛り上がり番組が現在視聴中の番組であるか否かを判断する（Ｓ１７０４）。その結果、盛り上がり番組が現在視聴中の番組であると判断された場合、処理を終了する。また、盛り上がり番組が現在視聴中の番組でないと判断された場合、Ｓ１７０５に進む。ここで表示制御部１７００は、盛り上がり番組情報と、録画情報管理部１６００から受け取った録画番組情報とを比較する。その結果、盛り上がり番組が現在録画中の番組でない場合、表示制御部１７００は未視聴番組の盛り上がり通知を行う（Ｓ１７０６）。また盛り上がり番組が現在録画中の番組である場合、Ｓ１７０９に進み、表示制御部１７００は記憶部１７を制御することで、盛り上がり番組情報を記憶部１７に対して一時的に記憶させる。
【００６２】
本図に示すＳ１７０７乃至１７１３の処理については、第１実施形態にて図６に示したＳ９０７乃至９１３の処理と同様であり、よってそれらの説明は省略する。
なお本実施形態では、録画中の番組において、ステップＳ１７１０にて視聴番組に係る広告放送の表示中であるか否かを判定し、視聴番組に係る広告放送中の場合に盛り上がりを通知するものとした。これに限らず、視聴番組の放送終了時点において「盛り上がりを検出しました」等をユーザに通知してもよい。
【００６３】
またステップＳ１７０５では、盛り上がり番組が録画中の番組であるか否かを判定しているが、このような例だけに限定される訳ではない。例えば視聴率情報取得部７００において録画情報管理部１６００から予め録画番組情報を受け取り、録画中ではない番組についてのみ視聴率を受信するように構成してもよい。
【００６４】
以上のように第３実施形態によれば、高視聴率となった裏番組を盛り上がり番組として検出し、該番組が録画中の番組であるか否かを判定する。この判定結果に従って盛り上がり通知の優先度付けを行い、盛り上がり通知方法を変更することにより、従来に比べて精度の高い盛り上がり通知が可能である。
【００６５】
次に本発明に係る第４実施形態を説明する。第１実施形態では、高視聴率となった番組が視聴済みの番組であるか否かの判定結果に従って盛り上がり通知方法を変更する場合を述べた。これに対して第４実施形態では、高視聴率となった番組のシーンが視聴済みのシーンであるか否か、又は当該番組のシーンが特定のシーンであるか否かにより盛り上がり通知方法を変更する。ここで特定のシーン（以下、特定シーンという）とは、本来の番組内容とは無関係な要因で高視聴率や高い音量レベルを示す可能性が想定されるシーンである。例えばＣＭ放送中やサッカーハーフタイム等におけるシーンが挙げられる。特定シーンについてはユーザの視聴を妨げないように、盛り上がり検出直後に盛り上がり通知を行わないことが望ましい。
【００６６】
なお、第４実施形態に係る放送受信装置の内部構成については第１実施形態の場合と同様であるため、その説明を省略する。また第４実施形態に適用されるＣＰＵ１９で実行されて動作するソフトウェアの機能ブロック図については、図３に括弧内の符号で示した視聴情報管理部１８００及び表示制御部１９００以外、第１実施形態の場合と同様である。よって以下では相違点を中心に説明する。
【００６７】
視聴情報管理部１８００は、前述した視聴情報管理部５００の機能に加え、視聴済みシーン情報を管理する機能を有する。視聴情報管理部１８００は、選局制御部４００から選局完了指示を受け取り、番組内シーンの視聴状態を監視し、ＳＩ情報管理部３００から受け取ったＳＩ情報と対応付けることで、視聴済みシーン情報を管理する。視聴情報管理部１８００の詳細については後述する。
【００６８】
表示制御部１９００は、盛り上がり検出部８００からの盛り上がり検出結果を受け取り、視聴情報管理部５００から取得した視聴番組情報と、視聴済みシーン情報とに基づいて盛り上がり通知方法について判定する。また表示制御部１９００は、ＳＩ情報管理部３００から受け取ったＳＩ情報を用い、通知方法に対応した盛り上がり番組の存在を示すＧＵＩ画面を作成し、これに対応した信号をモニタ８に出力する。表示制御部１９００はまた、ユーザインタフェース部２００から受信したユーザ操作情報に従って、選局制御部４００を制御することで、ユーザの要求に応じた選局制御を行う。表示制御部１９００の詳細については後述する。
【００６９】
次に図１４のフローチャートを用いて、視聴情報管理部１８００の処理例について説明する。先ず視聴情報管理部１８００は、選局制御部４００からの選局完了指示を受け取る（Ｓ１８０１）。視聴情報管理部１８００は、時間管理部６００から取得した現在時刻と、ＳＩ情報管理部３００から取得した視聴番組の放送シーン開始時刻が一致するか否かを判定する（Ｓ１８０２）。その結果、現在時刻と放送シーン開始時刻が一致しない場合には、両時刻が一致するまで次の処理に進まない。現在時刻と放送シーン開始時刻が一致したと判定された場合、Ｓ１８０３に進む。ここで視聴情報管理部１８００は、ＳＩ情報管理部３００から取得したＳＩ情報に基づいて、視聴番組のシーン切換りが発生したかを判定する（Ｓ１８０３）。そしてシーン切換りがないと判定された場合にはシーンが切換るまで次の処理は行わない。シーンが切換ったと判定された場合、Ｓ１８０４に進む。ここで視聴情報管理部１８００は、視聴番組の視聴シーンについて、ＳＩ情報管理部３００から取得した番組情報、シーン情報と対応付けて、視聴済みシーンとして番組シーン情報を記憶部１７に記憶させる。
【００７０】
次に図１５のフローチャートを用いて、表示制御部１９００の処理例について説明する。表示制御部１９００は、盛り上がり検出部８００から盛り上がり通知結果を受け取り、盛り上がり番組のシーン情報と、視聴済みシーン情報とを比較する。つまり盛り上がり番組のシーン情報は、ＳＩ情報管理部３００から取得したＳＩ情報と対応付けられ、該情報を視聴情報管理部１８００から取得した視聴済みシーン情報と比較することで盛り上がり通知方法について判定が行われる。表示制御部１９００は、判定結果に基づいてＧＵＩ画面を作成し、選局制御部４００へユーザ操作に応じた選局要求を行う。
【００７１】
先ず表示制御部１９００は盛り上がり検出部８００から、裏番組にて盛り上がり番組が存在する旨を示す盛り上がり検出結果を取得する（Ｓ１９０１）。次に表示制御部１９００は視聴情報管理部１８００から視聴済みのシーン情報を取得し（Ｓ１９０２）、盛り上がり番組情報を取得する（Ｓ１９０３）。そしてＳ１９０４に進み、表示制御部１９００は盛り上がり番組が現在視聴中の番組であるか否かを判断する。その結果、盛り上がり番組が現在視聴中の番組である場合、処理が終了する。また盛り上がり番組が現在視聴中の番組でない場合、Ｓ１９０５に進む。ここで表示制御部１９００は、盛り上がり番組情報と視聴情報管理部１８００から受け取った視聴済みシーン情報と比較する。そして盛り上がりシーンが過去に視聴済みのシーン又は放送受信装置内に予め記憶された特定シーンであるか否かを判定する。その結果、盛り上がりシーンが視聴済みのシーン又は特定シーンでない場合、Ｓ１９０６に進むが、そうでない場合にはＳ１９０９に進む。
【００７２】
Ｓ１９０６乃至１９０８、Ｓ１９１３の処理については、第１実施形態に関して図６で示したＳ９０６乃至９０８、Ｓ９１３の処理と同様であるため、詳細な説明は省略する。
前記Ｓ１９０５にて、盛り上がりシーンが過去に視聴済みのシーン、又は特定シーンであると判定された場合、Ｓ１９０９乃至１９１３の処理が行われる。これらの処理については、第１実施形態に関して図６で示したＳ９０９乃至９１３の処理と同様であるため、詳細な説明は省略する。
【００７３】
以上のように第４実施形態によれば、高視聴率となった裏番組のシーンを盛り上がりシーンとして検出し、該シーンが視聴済みのシーン又は特定シーンであるか否かを判定する。この判定結果に従って盛り上がり通知の優先度付けを行い、盛り上がり通知方法を変更することにより、従来に比べて精度の高い盛り上がり通知が可能である。
【００７４】
次に本発明に係る第５実施形態を説明する。第１実施形態では、高視聴率となった番組が視聴済みの番組であるか否かに応じて、盛り上がり通知方法を変更する場合について述べた。これに対して、第５実施形態では、高視聴率となった番組が異なる放送種別で配信されている視聴番組と同じ番組である場合、又は高視聴率となった番組が視聴していた番組のイベントリレー番組であった場合、盛り上がり通知を行わない。
【００７５】
第５の実施形態に係る放送受信装置の内部構成を示すブロック図は第１実施形態と同様であるため説明を省略する。また第５実施形態に適用されるＣＰＵ１９で実行されて動作するソフトウェアの機能ブロック図については、図３に括弧内の符号で示した表示制御部２０００以外、第１実施形態の場合と同様である。よって以下では相違点を中心に説明する。
【００７６】
表示制御部２０００は、盛り上がり検出部８００からの盛り上がり検出結果を受け取り、視聴番組情報とＳＩ情報に基づき、盛り上がり通知方法について判定する。視聴番組情報は視聴情報管理部５００から取得され、ＳＩ情報はＳＩ情報管理部３００から取得される。表示制御部２０００はまた、ＳＩ情報管理部３００から受け取ったＳＩ情報を用い、盛り上がり通知を行うか否かを判定する。盛り上がり通知を行う場合、表示制御部２０００は盛り上がり番組の存在を示すＧＵＩ画面を作成し、これに対応した信号をモニタ８に出力する。表示制御部２０００はまた、ユーザインタフェース部２００から受信したユーザ操作情報に従って選局制御部４００を制御することで、ユーザの要求に応じた選局制御を行う。
【００７７】
次に図１６のフローチャートを用いて、表示制御部２０００の処理例について説明する。表示制御部２０００は、盛り上がり検出部８００から盛り上がり通知結果を受け取る。そして表示制御部２０００は、盛り上がり番組が視聴番組と異なる放送種別で放送されている同一番組であるか、又は視聴していた番組のイベントリレー番組であるかを判定する。その際に用いる情報は、ＳＩ情報管理部３００から取得したＳＩ情報と、視聴情報管理部５００から受け取った視聴情報、ユーザ視聴履歴情報である。表示制御部２０００はさらに、番組の盛り上がり通知を行うか否かを判定し、判定結果に基づきＧＵＩ画面を作成し、選局制御部４００へユーザ操作に応じた選局要求を行う。
【００７８】
先ずＳ２００１乃至２００４の処理については、第１実施形態に関して図６で示したＳ９０１乃至９０４の処理と同様であり、よってそれらの説明は省略する。
【００７９】
Ｓ２００５にて表示制御部２０００は、盛り上がり番組情報を、視聴情報管理部５００から受け取った視聴番組情報と比較し、盛り上がり番組が異なる放送種別で放送されている視聴番組と同一の番組であるか否かを判定する。その結果、盛り上がり番組が異なる放送種別で放送されている視聴番組と同一の番組である場合、処理は終了する。また盛り上がり番組が異なる放送種別で放送されている視聴番組と同一の番組でない場合、Ｓ２００６に進む。ここで表示制御部２０００は、視聴情報管理部５００から受け取ったユーザ視聴履歴情報に基づいて、視聴していた番組のイベントリレー番組であるか否かを判定する。その結果、盛り上がり番組が視聴していた番組のイベントリレー番組である場合、処理が終了する。また盛り上がり番組が、視聴していた番組のイベントリレー番組ではない場合、Ｓ２００７に進む。なお以降のＳ２００７乃至２０１０の処理については、第１実施形態に関して図６で示したＳ９０６乃至９０８、Ｓ９１３の処理と同様であり、よってそれらの説明は省略する。
【００８０】
以上のように第５実施形態では高視聴率となった裏番組を盛り上がり番組として検出し、該番組が異なる放送種別で放送されている視聴番組と同一の番組であるか又は視聴していた番組のイベントリレー番組であるかを判定する。そして判定結果に従って盛り上がり通知を行うか否かを決定することで、従来に比べて精度の高い盛り上がり通知が可能である。
【００８１】
次に本発明に係る第６実施形態を説明する。第１実施形態では、高視聴率となった番組が視聴済みの番組であるか否かに応じて、盛り上がり通知方法を変更する場合について述べた。これに対して第６実施形態では、盛り上がり検出がなされた時刻に、高視聴率となった番組と視聴番組以外の番組に、特定シーンの番組が存在する場合、盛り上がり通知を行わない。これによって他番組の影響による視聴率の上昇時、例えばＣＭ放送中やサッカー番組のハーフタイムによる視聴率の上昇時に、盛り上がり通知が行われることはない。
【００８２】
第６実施形態に係る放送受信装置の内部構成を示すブロック図は第１実施形態の場合と同様であるため説明は省略する。また第６実施形態に適用されるＣＰＵ１９で実行されて動作するソフトウェアの機能ブロック図については、図３に括弧内の符号で示した表示制御部２１００以外、第１実施形態の場合と同様である。よって以下では相違点を中心に説明する。
【００８３】
表示制御部２１００は、盛り上がり検出部８００からの盛り上がり検出結果を受け取る。そして表示制御部２１００は、視聴番組情報とＳＩ情報に基づいて、盛り上がり検出がなされた時刻にて、盛り上がり番組以外に特定シーンを放送中の番組が存在するか否かを判定する。視聴番組情報は視聴情報管理部５００から取得され、ＳＩ情報はＳＩ情報管理部３００から取得される。表示制御部２１００は、判定結果に従って盛り上がり通知を行うか否かを決定する。盛り上がり通知を行う場合、表示制御部２１００は、盛り上がり番組の存在を示すＧＵＩ画面を作成し、これに対応する信号をモニタ８に出力する。また表示制御部２１００は、ユーザインタフェース部２００から受信したユーザ操作情報に従って選局制御部４００を制御することで、ユーザの要求に応じた選局制御を行う。
【００８４】
図１７のフローチャートを用いて、表示制御部２１００の処理例について説明する。表示制御部２１００は、盛り上がり検出部８００から盛り上がり通知結果を受け取り、盛り上がり番組以外の裏番組に特定シーンを放送中の番組が存在するかを判定して、盛り上がり通知を行うか否かを決定する。その際、ＳＩ情報管理部３００から取得したＳＩ情報と、視聴情報管理部５００から受け取った視聴情報、ユーザ視聴履歴情報が用いられる。表示制御部２１００は盛り上がり通知を行う場合にＧＵＩ画面を作成し、選局制御部４００へユーザ操作に応じた選局要求を行う。
【００８５】
先ずＳ２１０１乃至２１０４の処理については、第１実施形態に関して図６で示したＳ９０１乃至９０４の処理と同様であり、よってそれらの説明は省略する。
Ｓ２１０４にて盛り上がり番組が現在視聴中の番組でない場合、Ｓ２１０５に進む。ここで表示制御部２１００は、ＳＩ情報管理部３００から受け取ったＳＩ情報に基づき、盛り上がり番組以外の裏番組において、盛り上がり検出がなされた時刻と同時刻に特定シーンを放送中の番組が存在するか否かを判定する。その結果、盛り上がり番組以外の裏番組に特定シーンを放送中の裏番組が存在する場合、処理は終了する。また盛り上がり番組以外の裏番組に特定シーンを放送中の番組が存在しない場合、Ｓ２１０６に進む。Ｓ２１０６乃至２１０９の処理については、第１実施形態に関して図６で示したＳ９０６乃至９０８、Ｓ９１３の処理と同様であり、よってそれらの説明は省略する。
【００８６】
以上のように第６実施形態では、高視聴率となった裏番組を盛り上がり番組として検出し、該番組以外の裏番組にて、盛り上がり検出された時刻に特定シーンを放送中の番組が存在するか否かを判定する。そして判定結果に従って盛り上がり通知を行うか否かを決定することで、本来の番組内容とは無関係な別の要因で盛り上がり番組が検出された場合には、該番組は盛り上がり通知の対象とはならず、従来に比べて精度の高い盛り上がり通知が可能である。
【符号の説明】
【００８７】
１００  放送受信部
２００，１３００  ユーザインタフェース部
３００  ＳＩ情報管理部
４００  選局制御部
５００，１８００  視聴情報管理部
６００  時間管理部
７００  視聴率情報取得部
８００  盛り上がり検出部
９００，１７００，１９００，２０００，２１００  表示制御部
１０００  音量レベル解析部
１２００  放送受信・再生部
１４００  録画制御部
１５００  蓄積部
１６００  録画情報管理部
【図１】
2010263527.tif 000003
【図２】
2010263527.tif 000004
【図３】
2010263527.tif 000005
【図４】
2010263527.tif 000006
【図５】
2010263527.tif 000007
【図６】
2010263527.tif 000008
【図７】
2010263527.tif 000009
【図８】
2010263527.tif 000010
【図９】
2010263527.tif 000011
【図１０】
2010263527.tif 000012
【図１１】
2010263527.tif 000013
【図１２】
2010263527.tif 000014
【図１３】
2010263527.tif 000015
【図１４】
2010263527.tif 000016
【図１５】
2010263527.tif 000017
【図１６】
2010263527.tif 000018
【図１７】
2010263527.tif 000019